(57)【要約】      （修正有）【課題】吸着剤を有効活用し、高い封止信頼性を有する有機エレクトロルミネッセンス素子を提供する。【解決手段】有機エレクトロルミネッセンス素子は、第１基板１に、第１電極４と有機発光層５と第２電極６とを有する有機発光体７が形成され、有機発光体７は、第１基板１と、第１基板１と対向して配置されている第２基板２とが封止材３によって接着されることにより封止されている。第１基板１と封止材３と第２基板２とによって囲まれる空間内に充填部８を有する。第２基板２の第１基板１側の表面に、吸湿層９を有する吸湿部１０が形成される。吸湿部１０は封止材３と接している。【選択図】図１
2015115263.tif 000002
【特許請求の範囲】
【請求項１】
第１基板に、第１電極と有機発光層と第２電極とを有する有機発光体が形成され、前記有機発光体は、前記第１基板と、前記第１基板と対向して配置されている第２基板とが封止材によって接着されることにより封止されている有機エレクトロルミネッセンス素子であって、
前記第１基板と前記封止材と前記第２基板とによって囲まれる空間内に充填部を有し、前記第２基板の前記第１基板側の表面に、吸湿層を有する吸湿部が形成され、前記吸湿部は前記封止材と接していることを特徴とする有機エレクトロルミネッセンス素子。
【請求項２】
前記吸湿部のベース材料は、前記充填部のベース材料よりも高透湿であることを特徴とする請求項１に記載の有機エレクトロルミネッセンス素子。
【請求項３】
前記吸湿部は、平面視で前記封止材と重なる部分を有することを特徴とする請求項１又は２に記載の有機エレクトロルミネッセンス素子。
【請求項４】
前記吸湿層は、前記封止材と接していることを特徴とする請求項１乃至３のいずれか一項に記載の有機エレクトロルミネッセンス素子。
【請求項５】
前記吸湿部は高透湿部を有し、前記高透湿部は前記封止材と接していることを特徴とする請求項１乃至４のいずれか一項に記載の有機エレクトロルミネッセンス素子。
【請求項６】
前記吸湿層は、平面視で前記高透湿部と重なる部分を有することを特徴とする請求項５に記載の有機エレクトロルミネッセンス素子。
【請求項７】
前記封止材と前記有機発光体との間に低透湿部を有することを特徴とする請求項１乃至６のいずれか一項に記載の有機エレクトロルミネッセンス素子。
【請求項８】
請求項１乃至７のいずれか一項に記載の有機エレクトロルミネッセンス素子を用いることを特徴とする照明装置。
【発明の詳細な説明】
【技術分野】
【０００１】
本発明は、有機エレクトロルミネッセンス素子、及びこの有機エレクトロルミネッセンス素子を備える照明装置に関するものである。
【背景技術】
【０００２】
近年、有機エレクトロルミネッセンス素子（以下「有機ＥＬ素子」ともいう）の照明装置などへの適用が進展している。有機ＥＬ素子としては、ガラス基板等の第１基板の表面に、第１電極と、発光層を含む複数の層により構成される有機発光層と、第１電極と対となる第２電極とが積層形成されたものが知られている。
【０００３】
有機ＥＬ素子において、有機発光層の発光特性が水蒸気などの水分等によって劣化しやすくなる。さらに、有機ＥＬ素子が長時間動作すると、水分によって劣化した場所が発光しなくなる。このような発光しない部分は、ダークスポットと呼ばれる。ダークスポットは時間の経過とともに成長し、発光不良等の原因となり、有機ＥＬ素子の信頼性を低下させてしまう。そのため、有機ＥＬ素子内に水分を浸入させないようにすること、及び浸入した水分を除去することが重要である。
【０００４】
そこで、従来、外部からの水分の浸入を防止するために、第１電極と有機発光層と第２電極とを含有する有機発光体を、第１基板と、接着剤等の封止材により第１基板に接合される第２基板によって封止し、外界から遮断する方法が用いられている。
【０００５】
しかし、第１基板と第２基板とを接合する部分に用いられる封止材が透湿経路となって水分等が浸入してしまい、第２基板を設けるだけでは、外部からの水分の浸入を完全に防止することはできないという問題がある。
【０００６】
そこで、特許文献１では、第１基板と第２基板とを封止材で接合した有機ＥＬ素子において、この封止空間に、吸着剤粉末を含有したゲルからなる充填材を充填し、浸入した水分等から保護することが提案されている。この場合、封止空間全体に吸着剤が存在するため、水分の浸入に対して、広範囲に対応することができる。
【先行技術文献】
【特許文献】
【０００７】
【特許文献１】特開２００１−０６８２６６号公報
【発明の概要】
【発明が解決しようとする課題】
【０００８】
しかし、外部から浸入した水分は、実際には、第１基板と第２基板とを接合した接合部である封止材から浸入する可能性が高い。そのため、吸湿機能を有する封止材や充填材を用いて、有機発光体を封止しても、主に接合部付近の吸着剤が水分を吸着しているに過ぎない。つまり、外部から浸入した水分等は、封止空間において、封止材の有機発光体側の端部から有機発光体までの間の吸着剤によって吸着されているに過ぎず、有機ＥＬ素子の中央部付近の吸着剤を活用できないという問題があった。特に、封止材と有機発光体との距離が短くなる狭額縁モデルにおいては、防水機能が低下し、信頼性の確保がさらに困難になる。
【０００９】
本発明は上記の点に鑑みてなされたものであり、吸着剤を有効活用し、高い封止信頼性を有する有機エレクトロルミネッセンス素子を提供することを目的とするものである。
【課題を解決するための手段】
【００１０】
本発明に係る有機エレクトロルミネッセンス素子は、第１基板に、第１電極と有機発光層と第２電極とを有する有機発光体が形成され、前記有機発光体は、前記第１基板と、前記第１基板と対向して配置されている第２基板とが封止材によって接着されることにより封止されている有機エレクトロルミネッセンス素子であって、
前記第１基板と前記封止材と前記第２基板とによって囲まれる空間内に充填部を有し、前記第２基板の前記第１基板側の表面に、吸湿層を有する吸湿部が形成され、前記吸湿部は前記封止材と接していることを特徴とするものである。
【００１１】
本発明に係る有機エレクトロルミネッセンス素子において、前記吸湿部のベース材料は、前記充填部のベース材料よりも高透湿であることが好ましい。
【００１２】
本発明に係る有機エレクトロルミネッセンス素子において、前記吸湿部は、平面視で前記封止材と重なる部分を有することが好ましい。
【００１３】
本発明に係る有機エレクトロルミネッセンス素子において、前記吸湿層は、前記封止材と接していることが好ましい。
【００１４】
本発明に係る有機エレクトロルミネッセンス素子において、前記吸湿部は高透湿部を有し、前記高透湿部は前記封止材と接していることが好ましい。
【００１５】
本発明に係る有機エレクトロルミネッセンス素子において、前記吸湿層は、平面視で前記高透湿部と重なる部分を有することが好ましい。
【００１６】
本発明に係る有機エレクトロルミネッセンス素子において、前記封止材と前記有機発光体との間に低透湿部を有することが好ましい。
【００１７】
本発明に係る照明装置は、本発明に係る有機エレクトロルミネッセンス素子を用いることを特徴とするものである。
【発明の効果】
【００１８】
本発明に係る有機エレクトロルミネッセンス素子は、吸湿部を設けることで、高い封止信頼性を有することができる。
【図面の簡単な説明】
【００１９】
【図１】本発明に係る有機エレクトロルミネッセンス素子の一例を示す、概略断面図である。
【図２】本発明に係る有機エレクトロルミネッセンス素子の一例を示す、概略断面図である。
【図３】本発明に係る有機エレクトロルミネッセンス素子のその他の一例を示す、概略断面図である。
【図４】本発明に係る有機エレクトロルミネッセンス素子のその他の一例を示す、概略断面図である。
【図５】本発明に係る有機エレクトロルミネッセンス素子のその他の一例を示す、概略断面図である。
【図６】本発明に係る有機エレクトロルミネッセンス素子のその他の一例を示す、概略断面図である。
【図７】本発明に係る有機エレクトロルミネッセンス素子のその他の一例を示す、概略断面図である。
【発明を実施するための形態】
【００２０】
以下、本発明の実施の形態を説明する。
【００２１】
［実施形態１］
図１は、有機ＥＬ素子の実施形態１の一例を示している。実施形態１の有機ＥＬ素子は、第１基板１に、第１電極４と有機発光層５と第２電極６とを有する有機発光体７が形成されている。また、有機発光体７は、第１基板１と、第１基板１と対向して配置されている第２基板２とが封止材３によって接着されることにより封止されている。そして、第１基板１と封止材３と第２基板２とによって囲まれる空間内に充填部８を有する。さらに、第２基板２の第１基板１側の表面に、吸湿層９を有する吸湿部１０が形成され、吸湿部１０は封止材３と接している。
【００２２】
第１基板１としては、光透過性を有する透明な基板であることが好ましい。第１基板１は、無色透明の他に、多少着色されているものであっても、すりガラス状のものであってもよい。第１基板１としては、例えば、ソーダライムガラス、無アルカリガラス等の透明ガラス板や、ポリエステル樹脂、ポリオレフィン樹脂、ポリアミド樹脂、エポキシ樹脂、フッ素系樹脂等の樹脂から任意の方法によって作製されたプラスチックフィルムやプラスチック板などを用いることができる。これら中で、第１基板１は、ガラス板で構成することが好ましい。ガラスは水分の透過性が低いので、第１基板１がガラス板で構成されることにより、第１基板１側からの水分の浸入を抑制することができる。また、第１基板１は、第１基板１を構成するベース材料とは屈折率の異なる粒子、粉体、泡等を含有することによって、光拡散効果を有してもよい。また、第１基板１の表面に形状を付与することによって、光拡散効果を有してもよい。また、第１基板１は、通電時の素子の発熱による温度上昇を軽減するために、熱伝導性の高い基板であってもよい。また、防湿性を有する層を第１基板１の表面に形成してもよい。防湿性を有する層を形成することにより、水分の浸入を抑制でき、有機発光体７の劣化を防ぐことができる。
【００２３】
第２基板２は、水分の透過性が低い基板材料を用いて形成することができる。例えば、ガラス基板などを用いることができる。具体的には、ソーダライムガラス、無アルカリガラスなどが挙げられる。これらは比較的安価なガラス材料であるため有機ＥＬ素子の製造コストを抑えることが可能になる。板状の第２基板２の平坦な面を第１基板１に対向させて封止する場合には、図１の封止材３のように、有機発光体７を封止するためのスペーサとなる側壁が形成されることを要する。また、第１基板１と第２基板２には同一組成の材料を使用することが好ましく、これにより熱や応力による第１基板１と第２基板２の間の剥離を抑制しやすくなる。また、第１基板１と第２基板２の厚さを、基板を曲げることができる程度に薄くすることにより、フレキシブル素子を作製することができる。例えば、ガラス基板を用いた場合に、ガラス基板の厚みを１００μｍ以下にすることにより、フレキシブル素子を作製することができる。
【００２４】
第２基板２は、封止材３により第１基板１に接合されている。第２基板２を接着する封止材３は、有機発光体７の外周を取り囲んで第１基板１に設けられるものである。第２基板２が封止材３によって第１基板１に接着されることにより、有機発光体７は、外部空間から遮断されて封止されることになる。
【００２５】
封止材３は、水分の透過率が低いベース材料から形成されることが好ましい。封止材３は、接着剤として機能する適宜の材料により構成することができる。封止材３のベース材料としては、例えば、エポキシ樹脂やアクリル樹脂などの熱硬化性樹脂や紫外線硬化樹脂などの樹脂材料を主成分とすることができる。封止材３としては、熱硬化性樹脂よりも紫外線硬化性樹脂を用いることがより好ましい。封止材３として、紫外線硬化性樹脂を用いる場合、封止材を硬化させる際に、有機発光体７に熱によるダメージを与えることなく、硬化することができる。また、封止材３のベース材料としては、樹脂材料や、パラフィンワックスやマイクロクリスタリンワックスなどのワックス材料からなる群から選択される一種以上の材料から形成することができる。封止材３のベース材料以外の添加材としては、封止材３の膜厚を均一にするために、スペーサとして、無機フィラーを含有していることが好ましい。無機フィラーとしては、アルミナなどが例示される。また、封止材３は、添加材として、ガラスフリットなどのフリット材を含有していてもよい。封止材３は、吸湿性材料を含有していることが好ましい。吸湿性材料としては、例えば、酸化カルシウム、酸化ストロンチウム、酸化バリウム、シリカ等が例示される。封止材３が吸湿性材料を含有していれば、封止材３が透湿経路となって水分が浸入することを抑制することができる。
【００２６】
有機発光体７は、第１電極４、有機発光層５及び第２電極６の積層体によって構成されている。有機発光体７は、第１電極４、有機発光層５及び第２電極６が厚み方向に積層された構造と定義できる。第１電極４、有機発光層５及び第２電極６は、この順で第１基板１側から設けられている。有機発光体７の設けられる領域は、平面視において、第１基板１の中央部の領域である。有機発光体７は、第１基板１に対向配置して接合される第２基板２によって覆われて封止されており、有機発光体７は封止領域の内部に配置されている。なお、本願明細書において、平面視とは、有機ＥＬ素子を、第１基板１、有機発光体７及び第２基板２の積層方向に見ることをいう。
【００２７】
第１電極４は、透明な電極材料を用いて構成することができる。例えば、導電性の金属酸化物などを好ましく用いることができる。透明金属酸化物としては、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯなど、ＰＥＤＯＴ、ポリアニリン等の導電性高分子及び任意のアクセプタ等でドープした導電性高分子、カーボンナノチューブなどの導電性光透過性材料を挙げることができる。他にも金属材料を、透明性を保持できる膜厚で使用しても良い。金属材料を用いる場合、膜厚は１０ｎｍ以下であることが好ましく、１０ｎｍ以下であれば、透明性を保持することができる。例えば、これらの電極材料は真空蒸着法やスパッタリング法、塗布等の方法により薄膜に形成することによって作製することができる。真空蒸着法やスパッタリング法の場合には、マスクを用いて成膜パターニングすることにより、低コストで作製することが可能である。
【００２８】
また、有機発光層５における発光を第１電極４を透過させて外部に照射するためには、第１電極４の光透過率を７０％以上にすることが好ましい。さらに、第１電極４のシート抵抗は数百Ω／□以下とすることが好ましく、特に好ましくは１００Ω／□以下とするものである。ここで、第１電極４の膜厚は、材料により異なるが、５００ｎｍ以下であることが好ましく、１０〜２００ｎｍの範囲がより好ましい。第１電極４の膜厚がこの範囲であると、第１電極４の光透過率、シート抵抗等の特性を上記のように制御しやすくなる。図１では、第１電極４は、第１基板１上に接して設けられているが、第１基板１と第１電極４との間には、別の層が介在していてもよい。
【００２９】
第２電極６は、適宜の電極材料を用いて構成することができる。例えば、金属、合金、電気伝導性化合物及びこれらの混合物からなる電極材料を用いることが好ましい。このような電極材料としては、アルミニウム、銀、マグネシウム等、およびこれらと他の金属との合金、例えばマグネシウム−銀混合物、マグネシウム−インジウム混合物、アルミニウム−リチウム合金を例として挙げることができる。また、金属の導電材料、金属酸化物等、およびこれらと他の金属との混合物、例えばＡｌ／Ａｌ２Ｏ３混合物なども使用可能である。また、第１電極４で挙げた材料を用いても良い。第２電極６は、例えば、これらの電極材料を真空蒸着法やスパッタリング法等の方法により、薄膜を形成することによって作製することができる。第２電極６は、光反射性を有していてもよい。第２電極６が光反射性を有していれば、発光層から第２電極６側に発せられた光を第２電極６で反射させ、第１基板１側から取り出すことができる。なお、上記では、第１電極４が陽極として機能し、第２電極６が陰極として機能する場合について説明したが、第１電極４が陰極として機能し、第２電極６が陽極として機能してもよい。
【００３０】
有機ＥＬ素子では、第１電極４と第２電極６とに電圧を印加し、発光層において正孔と電子を結合させて発光を生じさせる。そのため、第１電極４及び第２電極６のそれぞれと導通する電極端子を封止領域よりも外部に引き出して設ける必要がある。電極端子は、外部電極と電気的に接続するための端子である。図１の形態では、第１電極４を構成する導電層を第１基板１の端部に引き出すことにより、第１基板１の端部表面に、電極引き出し部１１を形成している。図１で示すように、電極引き出し部１１は、第１電極４と電気的に接続される第１電極引き出し部１１ａと、第２電極６と電気的に接続される第２電極引き出し部１１ｂとに区分される。第１電極引き出し部１１ａは、平面視において、第１電極４が延長して有機発光層５からはみ出した部分と定義できる。第２電極引き出し部１１ｂは、第１基板１の端部において第１電極４を構成する導電層がパターニングにより分断された部分と定義できる。なお、第２電極引き出し部１１ｂは、第２電極６の材料を引き出して形成してもよく、その場合、第２電極引き出し部１１ｂは、有機発光層５からはみ出した第２電極６の部分と定義できる。また、第１電極引き出し部１１ａ及び第２電極引き出し部１１ｂの一方又は両方を、第１電極４を構成する導電層とは別の導電層を用いて形成してもよい。また、電極引き出し部１１の外部に露出した表面には、電極パッドを設けてもよい。なお、図２〜７では、電極引き出し部１１を省略している。
【００３１】
有機発光層５は、発光を生じさせる機能を有する層であり、図示は省略しているが、通常、正孔注入層、正孔輸送層、発光層、電子輸送層、電子注入層、中間層などから適宜選ばれる複数の層によって構成されるものである。有機発光層５の厚みは、特に限定されるものではないが、例えば、６０〜１０００ｎｍ程度にすることができる。
【００３２】
発光層は、有機ＥＬ素子用の材料として知られる公知の材料から形成されうる。発光層を形成するための材料の具体例としては、制限的ではないが、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチリルベンゼン誘導体、ジスチリルアリーレン誘導体、ジスチリルアミン誘導体、各種の蛍光色素などが、挙げられる。二種以上の材料が組み合わされて用いられてもよい。また、蛍光発光を生じる材料のみならず、燐光発光等のスピン多重項発光を生じる材料、スピン多重項発光を生じる部位を分子内の一部に有する化合物などが用いられてもよい。
【００３３】
有機発光層５の積層構造は、例えば、第１電極４を陽極とし、第２電極６を陰極とした場合、第１電極４から順に、正孔注入層、正孔輸送層、発光層、電子輸送層、電子注入層とすることができる。なお、積層構造は、これに限定されるものではなく、例えば、発光層の単層としたり、正孔輸送層と発光層と電子輸送層との積層構造にしたり、正孔輸送層と発光層との積層構造にしたり、発光層と電子輸送層との積層構造にしたりすることができる。また、発光層は単層構造でも多層構造でもよく、例えば発光色が白色の場合には、発光層中に赤色、緑色、青色の３色のドーパント色素をドーピングしてもよいし、青色正孔輸送性発光層と緑色電子輸送性発光層と赤色電子輸送性発光層との積層構造にしてもよい。あるいは、青色電子輸送性発光層と緑色電子輸送性発光層と赤色電子輸送性発光層との積層構造にしてもよい。また、対となる電極に挟んでこの電極間に電圧を印加した際に発光が生じる積層構造を１つの発光ユニットとした場合に、複数の発光ユニットが光透過性及び導電性を有する中間層を介して積層され、電気的に直接的に接続したマルチユニット構造になっていてもよい。マルチユニット構造とは、対となる電極（陽極と陰極）の間に、厚み方向に重なる複数の発光ユニットを備えた構造である。また、これらの材料からなる有機層は、蒸着、転写等の乾式プロセスによって成膜しても良いし、スピンコート、スプレーコート、ダイコート、グラビア印刷等、湿式プロセスによって成膜するものであってもよい。なお、図２〜７では、第１電極４、有機発光層５、第２電極６とを省略し、有機発光体７として図示している。
【００３４】
第１基板１と第２基板２とに挟まれて有機発光体７が封止された封止空間には、充填材が充填されている充填部８が形成されている。有機ＥＬ素子が、封止空間を充填材で満たした充填部８を有している場合、第２基板２が内側に湾曲するなどしたとしても、第２基板２が有機発光体７に接触したりすることを低減でき、より安全に有機ＥＬ素子を製造することができる。
【００３５】
充填部８を構成する充填材は、適宜の成形材料から構成される。充填部８を構成する充填材のベース材料は、水分の透過率が低い材料であることが好ましい。充填材のベース材料としては、例えば、エポキシ系樹脂、アクリル系樹脂、シリコーン系樹脂等からなる群から選択される一種以上の樹脂材料を用いることができる。充填部８を構成する充填材は、ベース材料に吸湿性材料等の吸着剤を配合した成形材料で構成することができる。充填材が吸着剤を含有することによって、有機ＥＬ素子の内部に水分が浸入したとしても、充填材で水分を吸着することができ、有機発光層５に水分が到達することを抑制することができる。また、充填材を構成する成形材料は流動性を有することが好ましく、封止空間に充填材を簡単に充填することができる。充填材は硬化するものであっても、硬化しないものであってもよい。また、充填部８の吸着剤は、封止空間全域に均一に分散されていることが好ましい。
【００３６】
吸湿部１０は、第２基板２の第１基板１側の表面に形成され、封止材３と接している。吸湿部１０は吸湿層９を有する。吸湿部１０が、封止空間内に浸入した水分を引き込み、吸湿層９で水分を吸着することができ、高い封止信頼性を得ることができる。図１及び図２の形態では、吸湿部１０は吸湿層９から構成される。実施形態１では、図１及び図２のように、吸湿部１０が吸湿層９から構成されていてもよく、後述の形態のように、吸湿部１０は吸湿層９以外の部分を有していてもよい。
【００３７】
吸湿部１０は、充填部８で用いたベース材料と同様のベース材料を用いて形成することができる。吸湿部１０のベース材料は、充填部８のベース材料よりも、高透湿であることが好ましい。吸湿部１０のベース材料が充填部８のベース材料よりも高透湿である場合、封止材３から浸入した水分は、充填部８よりも吸湿部１０に、より多く引き込まれやすくなり、より高い封止信頼性を有する有機ＥＬ素子を得ることができる。透湿性は、例えば、水分透過速度を基に評価することができ、充填部８よりも高透湿であることは、充填部８よりも水分透過速度が速いことを意味する。吸湿部１０のベース材料は、水分の透過率が、例えば４０ｇ／ｍ２・２４ｈｏｕｒ以上の材料から形成されることが好ましい。水分の透過率は、例えば、ＪＩＳ  Ｚ０２０８に規定される防湿包装材料の透湿度試験方法（カップ法）によって測定することができる。なお、透過性の評価方法は上記に限定されない。なお、充填部８のベース材料の水分透過率は、例えば、４０ｇ／ｍ２・２４ｈｏｕｒ以下の材料から形成されることが好ましい。
【００３８】
有機ＥＬ素子において、第２基板２の第１基板１側の表面に、吸湿部１０が形成されていることにより、封止空間内に浸入した水分は、吸湿部１０に引き込まれ、吸湿層９で吸着される。すなわち、有機ＥＬ素子において、吸湿部１０を設けることにより、外部から浸入した水分を吸湿部１０に引き込み、吸湿層９で吸着することが可能となり、有機ＥＬ素子の封止信頼性を向上させることができる。また、封止材３と有機発光層５との距離が短くなる狭額縁モデルの有機ＥＬ素子においても、吸湿部１０を設けることにより、防水機能が上昇し、封止信頼性を容易に確保することが可能となる。なお、充填部８に吸着剤が含有されている場合、吸湿層９で吸着できない分の水分は、充填部８の吸着剤で吸着されてもよい。
【００３９】
また、吸湿部１０が封止材３と接しているので、封止材３から浸入する水分を直接吸湿部１０に引き込むことができるため、高い封止信頼性を得ることができる。なお、本願明細書において「接している」とは、平面視において、重なる部分がある場合、及び重なる部分がなく接しているだけの場合も意味する。すなわち、吸湿部１０が封止材３と接しているとは、吸湿部１０と封止材３とが、平面視において、重なる部分がある場合及び重なる部分がなく接しているだけの場合も意味する。図２のように、吸湿部１０は、平面視で封止材３と重なる部分を有することがより好ましい。これにより、吸湿部１０と封止材３との接触面積がより多くなり、封止材３から浸入した水分等を、より効果的に引き込むことができる。
【００４０】
吸湿部１０は、平面視で外周全域に渡って、封止材３と接していることが好ましい。この場合、吸湿部１０と封止材３とが接する面積をより大きくすることができ、また、充填部８と封止材３とが接する面積をより小さくすることができる。吸湿部１０と封止材３とが接する面積が大きいほど、封止材３から浸入した水分を吸湿部１０により多く引き込むことができる。また、充填部８と封止材３とが接する面積が小さいほど、封止材３から浸入した水分が、封止材３と有機発光体７との間の領域の充填部８に浸入するのを抑制することができる。封止材３と有機発光体７との間の領域の充填部８に水分が浸入することを抑制することができれば、有機ＥＬ素子の封止信頼性を向上させることができる。また、上記と同様の理由により、吸湿部１０は、有機ＥＬ素子の積層方向においても、封止材３の表面全体に設けられてもよい。この場合、吸湿層９の厚みが、封止材３と接する位置で厚くなっていてもよいし、後述のように、封止材３と接する位置に高透湿部１２が形成されていてもよい。
【００４１】
吸湿部１０は、封止空間内の第２基板２の表面全体に設けられていることが好ましい。これにより、有機ＥＬ素子内のいかなる位置に水分が浸入しても、より確実に吸湿部１０に引き込むことができ、吸湿層９で吸着することができ、より高い封止信頼性を得ることができる。
【００４２】
吸湿層９は、吸湿部１０のベース材料に吸湿性材料等の吸着剤を配合した成形材料を用いて形成することができる。すなわち、吸湿層９のベース材料は、充填部８のベース材料よりも高透湿であることが好ましい。これにより、封止材３等から浸入した水分を、充填部８よりも吸湿層９により多く引き込み、吸着することができる。吸湿性材料としては、例えば、シリカゲル、酸化チタン、酸化アルミニウム、酸化マグネシウム、酸化亜鉛、ゼオライト、モレキュラーシーブなどの物理吸着性材料や、酸化カルシウム、酸化バリウム等の化学吸着性の吸湿性材料を用いることができる。吸湿層９の厚みは、充分な吸湿量を確保するよう適宜設定されるが、例えば、６ｎｍ以上であることが好ましく、１０ｎｍ以上であることがより好ましい。
【００４３】
図１の有機ＥＬ素子において、第２基板２の第１基板１側の表面に、吸湿層９が形成されていることが好ましい。この場合、封止空間内に浸入した水分を、吸湿層９により多く引き込み、吸湿層９でより多く吸着することができる。なお、充填部８に吸着剤が含有されている場合、吸湿層９で吸着できない分の水分は充填部８の吸着剤で吸着されてもよい。
【００４４】
吸湿層９は、封止材３と接していることが好ましい。吸湿層９が封止材３と接している場合、封止材３から浸入する水分を直接吸湿層９に引き込むことができるため、封止材３から浸入した水分等をより効果的に引き込むことが可能となる。吸湿層９が封止材３と接しているとは、吸湿層９と封止材３とが、平面視において、重なる部分がある場合及び重なる部分がなく接しているだけの場合も意味する。図２のように、吸湿層９は、平面視で封止材３と重なる部分を有することがより好ましい。これにより、吸湿層９と封止材３との接触面積がより多くなり、封止材３から浸入した水分等を、より効果的に吸収することができる。
【００４５】
吸湿層９は、平面視で外周全域に渡って、封止材３と接していることが好ましい。この場合、吸湿層９と封止材３とが接する面積をより大きくすることができ、また、充填部８と封止材３とが接する面積をより小さくすることができる。吸湿層９と封止材３とが接する面積が大きいほど、封止材３から浸入した水分を吸湿層９により多く引き込み、吸湿層９で吸着することができる。また、充填部８と封止材３とが接する面積が小さいほど、封止材３から浸入した水分が、封止材３と有機発光体７との間の領域の充填部８に浸入するのを抑制することができる。封止材３と有機発光体７との間の領域の充填部８に水分が浸入することを抑制することができれば、有機ＥＬ素子の封止信頼性を向上させることができる。
【００４６】
吸湿層９は、封止空間内の第２基板２の表面全体に設けられていることが好ましい。これにより、有機ＥＬ素子内のいかなる位置に水分が浸入しても、より確実に吸着しやすくなり、より高い封止信頼性を得ることができる。また、吸湿層９で吸着しきれない水分が充填部８に浸入した場合であっても、吸湿層９が第２基板２の表面全体に設けられていれば、吸湿層９と充填部８との接触面積が増大し、充填部８内の吸湿性材料による水分の吸収効率を向上させることができる。この場合、充填部８において、有機ＥＬ素子の中央部付近の活用されない吸着剤を低減することもできる。吸湿層９において、吸着剤の含有量は、ベース材料１００質量部に対して１５質量部以上であることが好ましい。吸着剤が、１５質量部以上であれば、充分な吸湿量を確保することができる。
【００４７】
このように、有機ＥＬ素子において、吸湿層９を有する吸湿部１０を設けることにより、外部から浸入した水分を吸湿層９に引き込み、吸湿層９で吸着することが可能となり、有機ＥＬ素子の封止信頼性を向上させることができる。
【００４８】
実施形態１の有機ＥＬ素子の製造方法は、下記の第１工程〜第５工程を有することが好ましい。
【００４９】
第１工程では、第２基板２（例えば、７ｍｍ厚の無アルカリガラス基板）上に、窒素雰囲気中でスクリーン印刷によって吸湿層９を構成する成形材料を、例えば厚さ１０〜１５μｍで塗布する。吸湿層９を構成する成形材料としては、上述のようなＣａＯ等の化学性吸湿性材料やゼオライト等の物理性吸湿性材料を含有する紫外線硬化性樹脂からなる成形材料を用いることができる。第２基板２上に吸湿層９を構成する成形材料を塗布する方法は、上記に限定されず、適宜選択される。
【００５０】
第２工程では、紫外線を照射して、吸湿層９を構成する成形材料を硬化させ、吸湿層９を形成する。なお、第１工程において、吸湿層９として、熱硬化性樹脂を用いた場合は、第２工程において、熱を加えることが好ましい。第２基板上に吸湿層９を形成する方法は、吸湿層９を構成する成形材料に応じて、適宜選択される。
【００５１】
第３工程では、第２基板２上に形成された吸湿層９の外周端部より外側に、スペーサ（例えば、高さ１０〜５０μｍ）を含有する封止材３の成形材料を、ディスペンサーにより塗布する。その後、封止材３の枠内に充填部８を構成する充填材をディスペンサーにより塗布する。封止材３を構成する成形材料および充填材を塗布する方法は、上記に限定されず、適宜選択される。
【００５２】
第４工程では、第３工程で得られた第２基板２と、有機発光体７が形成された第１基板１とを位置合わせをし、真空中で貼り合わせる。貼り合せ時に封止材３を押し広げ、この押し広げる量を調整することで、吸湿層９と封止材３とが平面視で接している、あるいは平面視で重なっている部分を有するようにする。なお、第１基板１上に有機発光体７を形成する方法は、公知の方法を用いることができる。
【００５３】
第５工程では、封止材３および充填材の材料に応じた方法で、封止材３および充填材を硬化させ、図１又は図２の有機ＥＬ素子を得ることができる。
【００５４】
なお、実施形態１の有機ＥＬ素子の製造方法は上記に限定されず、適宜選択される。例えば、上記と同様の第１工程、第２工程、第４工程および第５工程を有し、第３工程においては、第２基板２ではなく、有機発光体７を形成した第１基板１上に、封止材３の成形材料および充填部８を構成する充填材を塗布してもよい。すなわち、第３工程で、第１基板１上に、封止材３の成形材料を塗布し、封止材３の枠内に充填部８を構成する充填材を塗布してもよい。この場合、第４工程で、充填部８を有する第１基板１と、吸湿層９を有する第２基板２とを貼り合わせるようにすることができる。
【００５５】
なお、樹脂製のベース材料を用いて吸湿層９を形成する場合、上述のように、第２基板２の表面に吸湿層９の成形材料を塗布して硬化することにより吸湿層９を形成した後、有機ＥＬ素子を封止することが好ましい。この方法であれば、ベース材料として、紫外線硬化性樹脂だけでなく、熱硬化性樹脂も用いることができ、熱による影響を受けることなく、有機ＥＬ素子を作製することができ、また、吸湿部１０の材料選択の幅が広がる。なお、吸湿層９として紫外線硬化性樹脂を用いる場合は、有機ＥＬ素子を封止した後に吸湿層９を硬化してもよい。
【００５６】
［実施形態２］
図３は、有機ＥＬ素子の実施形態２の一例を示している。実施形態２は、実施形態１とは吸湿部１０が異なっており、それ以外は同様の構成である。実施形態１と同様の構成については、同じ符号を付して説明を省略する。
【００５７】
実施形態２の有機ＥＬ素子では、吸湿部１０は、高透湿部１２を有する。図３の形態では、吸湿部１０は、吸湿層９および高透湿部１２から構成されている。実施形態２では、図３のように、吸湿部１０が吸湿層９および高透湿部１２から構成されている場合について説明する。
【００５８】
高透湿部１２は、充填部８よりも高透湿な部分である。透湿性は、例えば、水分透過速度を基に評価することができ、充填部８よりも高透湿であることは、充填部８よりも水分透過速度が速いことを意味する。水分の透過率は、例えば、ＪＩＳ  Ｚ０２０８に規定される防湿包装材料の透湿度試験方法（カップ法）によって測定することができる。なお、透過性の評価方法は上記に限定されない。吸湿部１０が、吸湿層９に加えて、高透湿部１２を有していることにより、封止材３等から浸入した水分を、充填部８よりも高透湿部１２により多く引き込むことができ、高い封止信頼性を得ることができる。
【００５９】
高透湿部１２は、吸湿部１０のベース材料を用いて形成することができる。高透湿部１２は、吸湿性材料等の吸着剤を含有していなくてもよい。高透湿部１２が吸着剤を含有していない場合、高透湿部１２に引き込まれた水分は、高透湿部１２で吸着されずに透過し、吸湿層９に引き込まれ、吸湿層９で吸着することができ、高い封止信頼性を得ることができる。
【００６０】
図３及び４のように、高透湿部１２は、封止材３と接していることが好ましい。高透湿部１２が封止材３と接している場合、封止材３から浸入した水分を、より効果的に充填部８よりも高透湿部１２により多く引き込むことができる。高透湿部１２が封止材３と接しているとは、高透湿部１２と封止材３とが、平面視において、重なる部分がある場合及び重なる部分がなく接しているだけの場合も意味する。高透湿部１２は、平面視で封止材３と重なる部分を有していてもよい。これにより、高透湿部１２と封止材３との接触面積がより多くなり、封止材３から浸入した水分等を、より効果的に引き込むことができる。
【００６１】
図３及び４のように、高透湿部１２は、吸湿層９と接していることが好ましい。高透湿部１２が吸湿層９と接している場合、高透湿部１２に引き込まれた水分を、より効果的に吸湿層９に引き込み、吸湿層９で吸着することができる。高透湿部１２が吸湿層９と接しているとは、高透湿部１２と吸湿層９とが、平面視において、重なる部分がある場合及び重なる部分がなく接しているだけの場合も意味する。図４のように、高透湿部１２は、平面視で吸湿層９と重なる部分を有することがより好ましい。これにより、高透湿部１２と吸湿層９との接触面積がより多くなり、高透湿部１２に引き込まれた水分等を、さらに効果的に吸湿層９に引き込み、吸湿層９で吸着することができる。
【００６２】
図３及び４のように、高透湿部１２は、封止材３と吸湿層９とに接していることがより好ましい。高透湿部１２が、封止材３と吸湿層９とに接している場合、封止材３から浸入した水分を、充填部８よりも高透湿部１２により多く引き込むことができると共に、高透湿部１２に引き込まれ透過した水分を、吸湿層９のより広い範囲で吸着することができる。
【００６３】
また、図３及び４のように、吸湿部１０は、高透湿部１２が、封止材３と吸湿層９とに接していると共に、吸湿層９が封止材３と接していなくてもよい。この場合、封止材３から浸入した水分を、さらに効果的に充填部８よりも高透湿部１２に引き込むことができると共に、高透湿部１２に浸入し透過した水分を、さらに効果的に吸湿層９で吸着することができる。吸湿層９と封止材３とは接していてもよい。
【００６４】
実施形態２の有機ＥＬ素子の製造方法は、下記の第１工程〜第５工程を有することが好ましい。
【００６５】
第１工程及び第２工程は、実施形態１と同様の工程を用いることができる。
【００６６】
第３工程では、第２基板２上に形成された吸湿層９の外周端部より外側に、高透湿部１２を構成するための高透湿の成形材料をディスペンサーにより塗布する。そして、第２基板２上に形成された高透湿部１２の外周端部の外側に、スペーサを含有する封止材３の成形材料をディスペンサーにより塗布する。さらに、高透湿部１２の枠内に充填部８を構成する充填材をディスペンサーにより塗布する。高透湿部１２や封止材３を構成する成形材料、および充填材を塗布する方法及び順序は、上記に限定されず、適宜選択される。
【００６７】
第４工程では、第３工程で得られた第２基板２と、有機発光体７が形成された第１基板１とを位置合わせをし、真空中で貼り合わせる。貼り合せ時に高透湿部１２を押し広げ、この押し広げる量を調整することで、高透湿部１２と吸湿層９とが、平面視で接している、あるいは平面視で重なっている部分を有するようにする。なお、第１基板１上に有機発光体７を形成する方法は、公知の方法を用いることができる。
【００６８】
第５工程では、高透湿部１２、封止材３および充填材の材料に応じた方法で、高透湿部１２、封止材３および充填材を硬化させ、図３又は図４の有機ＥＬ素子を得ることができる。
【００６９】
なお、実施形態２の有機ＥＬ素子の製造方法は上記に限定されず、適宜選択される。
【００７０】
［実施形態３］
図５〜７は、有機ＥＬ素子の実施形態３の一例を示している。実施形態３は、実施形態１又は実施形態２とは充填部８が異なっており、それ以外は同様の構成である。実施形態１又は実施形態２と同様の構成については、同じ符号を付して説明を省略する。
【００７１】
実施形態３の有機ＥＬ素子では、封止材３と有機発光体７との間に低透湿部１３を有する。すなわち、充填部８の、封止材３と有機発光体７との間の領域に低透湿部１３を有する。低透湿部１３は、充填部８よりも低透湿な部分である。低透湿とは、例えば、水分透過速度が充填部８よりも遅いことを意味する。低透湿部１３のベース材料としては、封止材３のベース材料と同様のものを用いることができる。低透湿部１３のベース材料は、水分の透過率が、２０ｇ／ｍ２・２４ｈｏｕｒ以下の材料から形成されることが好ましい。
【００７２】
有機ＥＬ素子が、封止材３と有機発光体７との間に低透湿部１３を有することにより、封止材３から浸入した水分は、低透湿部１３には浸入しにくいため、吸湿部１０に、より多くの水分を引き込みやすくなり、封止信頼性をより向上させることができる。すなわち、吸湿部１０を設けることによる上記の効果をより大きく得ることができる。封止材３と有機発光体７との間の吸湿部１０を除いた領域において、低透湿部１３はより大きく形成されていることが好ましい。低透湿部１３が大きければ大きいほど、封止材３と有機発光体７との間の充填部８からなる領域を小さくすることができる。これにより、吸湿部１０にさらに多くの水分を引き込むことができ、吸湿部１０を設けることによる上記の効果をさらに大きく得ることができる。また、封止材３と有機発光体７との間の領域において、充填部８からなる領域が少なければ少ないほど、封止材３から浸入した水分が充填部８に浸入することを、さらに抑制することができ、さらに封止性を向上させることができる。
【００７３】
封止材３の封止空間側の表面において、吸湿部１０が設けられていない部分がある場合、低透湿部１３は、封止材３と接していることが好ましい。封止材３と吸湿部１０とが接し、吸湿部１０が設けられていない封止材３の側面の全面に低透湿部１３が設けられていることがより好ましい。これにより、充填部８に浸入する水分をより少なくすることができ、より高い封止信頼性を有する有機ＥＬ素子を得ることができる。封止材３と有機発光体７との間の領域において、充填部８からなる領域はより少ないことが好ましい。すなわち、低透湿部１３は、吸湿部１０と接していることが好ましい。また、低透湿部１３は、吸湿層９と接していることがより好ましい。
【００７４】
吸湿部１０が高透湿部１２を有する場合、低透湿部１３は、高透湿部１２と接していることがより好ましい。図６及び図７のように、低透湿部１３は、高透湿部１２と吸湿層９との両方に接していることがさらに好ましい。図６のように、低透湿部１３は、封止材３と高透湿部１２との間に設けられていてもよい。低透湿部１３が、封止材３と高透湿部１２との間にある場合、封止材３と低透湿部１３とで封止性を高め、封止空間内に水分をより浸入しにくくすることができる。また、図７のように、低透湿部１３は、高透湿部１２の内側に設けられていてもよい。すなわち、低透湿部１３は、高透湿部１２と有機発光体７との間に設けられていてよい。この場合、高透湿部１２と有機発光体７との間において、高透湿部１２を透過した水分は、低透湿部１３に浸入しにくくなるため、吸湿層９により多くの水分を引き込み、吸湿層９でより多くの水分を吸着することができる。なお、図示は省略するが、図３および図４のような実施形態２の有機ＥＬ素子に、高透湿部１２および吸湿層９と接するように、低透湿部１３を設けてもよい。
【００７５】
図５の有機ＥＬ素子の製造方法は、下記の第１工程〜第５工程を有することが好ましい。
【００７６】
第１工程及び第２工程は、実施形態１と同様の工程を用いることができる。
【００７７】
第３工程では、第２基板２上に形成された吸湿層９上に、吸湿層９の外周端部より内側であると共に完成後の有機ＥＬ素子の有機発光体７の縁外側領域に相当する箇所に、封止材３の成形材料からスペーサを除いた低透湿部１３用の成形材料をディスペンサーにより塗布する。また、第２基板２上に形成された吸湿層９の外周端部より外側に、スペーサを含有する封止材３の成形材料をディスペンサーにより塗布する。そして、低透湿部１３の枠内に充填部８を構成する充填材をディスペンサーにより塗布する。低透湿部１３や封止材３を構成する成形材料、および充填材を塗布する方法及び順序は、上記に限定されず、適宜選択される。
【００７８】
第４工程では、第３工程で得られた第２基板２と、有機発光体７が形成された第１基板１とを位置合わせをし、真空中で貼り合わせる。貼り合せ時に封止材３を押し広げ、この押し広げる量を調整することで、例えば、低透湿部１３と封止材３が平面視で接していると共に、吸湿層９と封止材３とが平面視で重なっている部分を有するようにする。なお、第１基板１上に有機発光体７を形成する方法は、公知の方法を用いることができる。
【００７９】
第５工程では、低透湿部１３、封止材３および充填材の材料に応じた方法で、低透湿部１３、封止材３および充填材を硬化させ、図５の有機ＥＬ素子を得ることができる。
【００８０】
なお、実施形態３の有機ＥＬ素子の製造方法は上記に限定されず、適宜選択される。例えば、上記と同様の第１工程、第２工程、第４工程および第５工程を有し、第３工程において、第２基板２ではなく、有機発光体７を形成した第１基板１上に、封止材３および低透湿部１３の成形材料および充填部８を構成する充填材を塗布してもよい。すなわち、第３工程で、第１基板１上に、封止材３の成形材料を塗布し、封止材３の枠内に低透湿部１３の成形材料を塗布し、低透湿部１３の枠内に充填部８を構成する充填材を塗布してもよい。
【００８１】
図６および図７の有機ＥＬ素子の製造方法は、図５と同様の第１工程、第２工程、第４工程および第５工程を有することができる。そして、第３工程において、第２基板２上に形成された吸湿層９上に、吸湿層９の外周端部より内側であると共に完成後の有機ＥＬ素子の有機発光体７の縁外側領域に相当する箇所に、低透湿部１３の成形材料と高透湿部１２の成形材料とを適宜塗布すればよい。また、第２基板２上に形成された吸湿層９の外周端部より外側に、封止材３の成形材料を塗布すればよい。そして、低透湿部１３又は高透湿部１２の枠内に充填部８を構成する充填材を塗布すればよい。低透湿部１３、高透湿部１２や封止材３を構成する成形材料、および充填材を塗布する方法及び順序は、上記に限定されず、適宜選択される。なお、第２基板２ではなく、有機発光体７を形成した第１基板１上に、封止材３、低透湿部１３、高透湿部１２の成形材料および充填部８を構成する充填材を塗布してもよい。
【００８２】
［照明装置］
照明装置は、上記の有機ＥＬ素子を備える。それにより、高い封止信頼性を有する照明装置を得ることができる。照明装置は、複数の有機ＥＬ素子を面状に配置するものであってよい。照明装置は、有機ＥＬ素子に給電するための配線構造を備えるものであってよい。照明装置は、有機ＥＬ素子を支持する筐体を備えるものであってよい。照明装置は、有機ＥＬ素子と電源とを電気的に接続するプラグを備えるものであってよい。照明装置は、パネル状に構成することができる。照明装置は、厚みを薄くすることができるため、省スペースの照明器具を提供することが可能である。
【符号の説明】
【００８３】
１  第１基板
２  第２基板
３  封止材
４  第１電極
５  有機発光層
６  第２電極
７  有機発光体
８  充填部
９  吸湿層
１０  吸湿部
１２  高透湿部
１３  低透湿部
【図１】
2015115263.tif 000003
【図２】
2015115263.tif 000004
【図３】
2015115263.tif 000005
【図４】
2015115263.tif 000006
【図５】
2015115263.tif 000007
【図６】
2015115263.tif 000008
【図７】
2015115263.tif 000009